(57)【要約】【課題】延長整地体の折畳み構造を簡潔化して部品点数の低減によるコストの改善を図る。【解決手段】耕耘爪８の上方を覆うメインカバー１１と、メインカバー１１の後端に上下回動自在に軸支されるリヤカバー１３と、該リヤカバー１３、又はリヤカバー１３の後端に装着される整地体に折畳み自在に装着される延長整地体１７Ｌ，１７Ｒとを備えるロータリ耕耘装置において、前記リヤカバー１３、又はリヤカバー１３の後端に装着される整地体の左右両端にブラケット１８を固設して、延長整地体１７Ｌ，１７Ｒを回動自在に枢支すると共に、当該ブラケット１８に固設したピン２５と延長整地体１７Ｌ，１７Ｒとに亘ってスプリング１６を張設して、延長整地体１７Ｌ，１７Ｒを作用姿勢Ｂと収納姿勢Ａとに切替え自在になし、さらに、この収納姿勢Ａにおいて延長整地体１７Ｌ，１７Ｒの基部２１は、前記ピン２５に接当して、収納姿勢Ａに位置決めされるように構成した。【選択図】図３
2011019451.tif 000002
【特許請求の範囲】
【請求項１】
耕耘爪（８）の上方を覆うメインカバー（１１）と、メインカバー（１１）の後端に上下回動自在に軸支されるリヤカバー（１３）と、該リヤカバー（１３）、又はリヤカバー（１３）の後端に装着される整地体に折畳み自在に装着される延長整地体（１７Ｌ，１７Ｒ）とを備えるロータリ耕耘装置において、前記リヤカバー（１３）、又はリヤカバー（１３）の後端に装着される整地体の左右両端にブラケット（１８）を固設して、延長整地体（１７Ｌ，１７Ｒ）を回動自在に枢支すると共に、当該ブラケット（１８）に固設したピン（２５）と延長整地体（１７Ｌ，１７Ｒ）とに亘ってスプリング（１６）を張設して、延長整地体（１７Ｌ，１７Ｒ）を作用姿勢（Ｂ）と収納姿勢（Ａ）とに切替え自在になし、さらに、この収納姿勢（Ａ）において延長整地体（１７Ｌ，１７Ｒ）の基部（２１）は、前記ピン（２５）に接当して、収納姿勢（Ａ）に位置決めされることを特徴とするロータリ耕耘装置。
【発明の詳細な説明】
【技術分野】
【０００１】
本発明は、農業用トラクタの後部に装着して耕耘作業や代掻き作業等を行なうロータリ耕耘装置に関する。
【背景技術】
【０００２】
従来、農業用トラクタの後部に装着して耕耘作業や代掻き作業等を行なうロータリ耕耘装置は、耕耘爪の上方を覆うロータリカバー（上部耕耘カバー）と、該ロータリカバーの後端に上下回動自在に枢支して耕耘爪の後方を覆うリヤカバー（耕耘カバー本体）を備えると共に、該リヤカバーの左右両端に、引張スプリングを介して引張付勢された状態で収納姿勢と作用姿勢とに折畳み自在な延長整地体（延長耕耘カバー）を枢設し、この延長整地体を作用姿勢に位置決め（拡張）することによって耕耘面の均平幅を拡げ、それにより隣接する耕耘土壌間に生じる段差の解消を図るように構成したものが知られている（例えば、特許文献１参照）。
【先行技術文献】
【特許文献】
【０００３】
【特許文献１】実公平４−３５０９号公報（第４図、第８図）
【発明の概要】
【発明が解決しようとする課題】
【０００４】
しかし、上述した特許文献１の如く延長整地体をリヤカバーに対して収納姿勢と作用姿勢とに折畳み自在に枢設するには、リヤカバーの左右両端に立設したコ字状の断面形状からなる固定側ブラケットと、該固定側ブラケットの開口端側上部を回動支点として開口端側が対向するコ字状の断面形状からなる回動側ブラケットとの間に、延長整地体の回動角を適正に規制するための比較的複雑な回動角規制手段を設けなければならず、また延長整地体を引張付勢する引張スプリングのフックを係止させる係止片を、前記固定側ブラケットと回動側ブラケットにそれぞれ設けなければならないので、当該延長整地体の折畳み構造の簡潔化と構成部品の加工工数の低減によるコスト面での改善の余地があった。
【課題を解決するための手段】
【０００５】
本発明は、上記課題を解決することを目的としたものであって、耕耘爪の上方を覆うメインカバーと、メインカバーの後端に上下回動自在に軸支されるリヤカバーと、該リヤカバー、又はリヤカバーの後端に装着される整地体に折畳み自在に装着される延長整地体とを備えるロータリ耕耘装置において、前記リヤカバー、又はリヤカバーの後端に装着される整地体の左右両端にブラケットを固設して、延長整地体を回動自在に枢支すると共に、当該ブラケットに固設したピンと延長整地体とに亘ってスプリングを張設して、延長整地体を作用姿勢と収納姿勢とに切替え自在になし、さらに、この収納姿勢において延長整地体の基部は、前記ピンに接当して、収納姿勢に位置決めされることを特徴としている。
【発明の効果】
【０００６】
本発明によれば、延長整地体を回動自在に枢支するブラケットに固設したピンと延長整地体とに亘ってスプリングを張設して、延長整地体を作用姿勢と収納姿勢とに切替え自在になすと共に、前記収納姿勢における延長整地体の基部が、前記ピンに接当して、当該延長整地体が収納姿勢に位置決めされるようになっており、前記ブラケットを構成する一つの部品であるピンにスプリングの一端を係止し、且つ前記ピンによって延長整地体の収納姿勢における位置決めがなされるので、当該延長整地体の折畳み構造が簡潔化され、部品点数の低減によるコストの改善が図れる。
【図面の簡単な説明】
【０００７】
【図１】（ａ），（ｂ）ロータリ耕耘装置の側面図と一部を省略した背面図。
【図２】（ａ），（ｂ）収納姿勢と作用姿勢にある延長整地体の斜視図。
【図３】（ａ），（ｂ），（ｃ）延長整地体の側面図、背面図、及び平面図。
【発明を実施するための形態】
【０００８】
以下、本発明の実施の形態を図面に基づいて詳細に説明する。
【実施例１】
【０００９】
図１（ａ），（ｂ）は、本発明を適用するロータリ耕耘装置の側面図と一部を省略した背面図、そして図２（ａ），（ｂ）は、収納姿勢と作用姿勢にある延長整地体の斜視図、また図３（ａ），（ｂ），（ｃ）は、収納姿勢にある延長整地体の側面図、背面図、及び平面図あって、ロータリ耕耘装置１は、農業用トラクタの後部に備える図示しない３点リンク装置及びオートヒッチを介して昇降自在に装着されている。
【００１０】
ロータリ耕耘装置１の中央部には、農業用トラクタのＰＴＯ軸から動力が入力されるギヤケース２が設けてあり、このギヤケース２の上部に左右一対のトップマスト３，３を固設すると共に、該トップマスト３，３の前側上部をオートヒッチに連結している。また、トップマスト３，３の後側上部には、通常は尾輪や畦立器等を装着するツールバー４の上下姿勢を調節するためのハンドル５ａを備えたネジ式調節装置５を軸支している。
【００１１】
また、ギヤケース２の左右両側には、ロータリ耕耘装置１の横伝動筒を兼ねる左側筒状アーム６と、この左側筒状アーム６と略同寸法の図示しない右側筒状アームを配設すると共に、左側筒状アーム６の外端にはロータリ耕耘装置１の伝動ケースであるチェンケース７、右側筒状アームの外端にはサイドプレートを固設している。そして、複数の耕耘爪８を装着した耕耘軸９をチェンケース７とサイドプレートの下部に回転自在に軸支すると共に、チェンケース７に内装したチェン伝動機構を介して耕耘軸９が回転駆動されるように構成している。
【００１２】
また、耕耘爪８上方を覆うメインカバーであるロータリカバー１１は、側面視で円弧状に形成されると共に、その左右両側に耕耘爪８を側方から覆うサイドカバー１２を設けている。そして、ロータリカバー１１の後端には、図示しない支点軸を回動中心として上下回動自在にリヤカバー１３を軸支すると共に、このリヤカバー１３を圃場面に向けて押圧付勢する圧縮スプリング１４を嵌挿した左右一対の吊り下げロッド１５，１５を設けてあり、両吊り下げロッド１５，１５を介して耕耘爪８の回転軌跡とリヤカバー１３との隙間Ｓを調節できるように構成している。尚、図中符号１１ａは、ロッド１５の上端側を摺動自在に支持すべくロータリカバー１１の上面側に固設した上側ブラケットであり、図中符号１３ａは、ロッド１５の下端を枢支すべくリヤカバー１３の上面側に固設した下側ブラケットである。
【００１３】
ところで、上述したリヤカバー１３の後端に図示しない整地体を装着（連結）することもある。この整地体は、リヤカバー１３と略同じ左右幅からなり、且つリヤカバー１３よりも厚さの厚い鋼材等を用いて断面が中空状に形成されており、ロータリ耕耘装置１の耕耘爪８によって耕耘された砕土をその自重にて押圧できるように所定の重量を有している。
【００１４】
更に、リヤカバー１３、またはリヤカバー１３の後端に装着する整地体（不図示）の左右両端には、常時引張スプリング１６を介して引張付勢された状態で収納姿勢Ａと作用姿勢Ｂとに折畳み自在な延長整地体１７Ｌ，１７Ｒが枢設してあり、この延長整地体１７Ｌ，１７Ｒを作用姿勢Ｂに位置決め（拡張）することによって耕耘面の均平幅を拡げ、それにより隣接する耕耘土壌間に生じる段差の解消を図るように構成している。
【００１５】
更に詳しく説明すると、リヤカバー１３または該リヤカバー１３の後端に装着する整地体の左右両端には、図３（ａ）に示すように延長整地体１７Ｌ，１７Ｒの枢設部材となる側面視で略Ｕ字状に形成したブラケット１８を固設している。このブラケット１８の後側突片には、延長整地体１７Ｌ，１７Ｒの後側支軸となるクレビスピン１９を固設すると共に、ブラケット１８の前側突片には、延長整地体１７Ｌ，１７Ｒの構成部品である詳細は後述するアームプレート２１の前側突片に固設したクレビスピン２２の装着孔Ｈ１を設けている。
【００１６】
延長整地体１７Ｌ，１７Ｒは、図３（ａ）に示すように側面視で門型状、且つ図３（ｃ）に示すように平面視でＵ字状に曲げ形成したアームプレート（基部）２１と、その上部に一体的に固設した上に凸の円弧状の断面形状を有する整地プレート２４からなり、アームプレート２１の後側突片には、延長整地体１７Ｌ，１７Ｒの後側支軸となるクレビスピン１９への装着孔Ｈ２を設けると共に、アームプレート２１の前側突片には、延長整地体１７Ｌ，１７Ｒの前側支軸となるクレビスピン２２を固設している。
【００１７】
そして、ブラケット１８の後側突片に固設したクレビスピン１９にアームプレート２１の後側突片に設けた装着孔Ｈ２を嵌装すると共に、ブラケット１８の前側突片に設けた装着孔Ｈ１にアームプレート２１の前側突片に固設したクレビスピン２２を挿通した状態で、該クレビスピン２１の先端に延長整地体１７Ｌ，１７Ｒの外れを防止するスナップピン２３を装着することによって、前記ブラケット１８に延長整地体１７Ｌ，１７Ｒが回動自在に枢設されている。
【００１８】
また、延長整地体１７Ｌ，１７Ｒを常時引張付勢する引張スプリング１６の一端（フック）を、側面視で門型状に曲げ形成されたアームプレート２１の上部中央（イ部）に係止すると共に、ブラケット１８を構成する前後の突片の上下方向略中間位置において、ロータリ耕耘装置１の左右方向の中心側に一体的に固設したピン（棒体）２５に引張スプリング１６の他端（フック）を係止せしめている。尚、前記ピン２５は、ブラケット１８の全体剛性を高めている。
【００１９】
以上説明したように、延長整地体１７Ｌ，１７Ｒは、引張スプリング１６を介して常時引張付勢された状態で、ブラケット１８に収納姿勢Ａと作用姿勢Ｂとに折畳み自在に枢設されており、図１（ａ），（ｂ）、図２（ａ）、及び図３（ａ），（ｂ），（ｃ）に示すように、延長整地体１７Ｌ，１７Ｒがリヤカバー１３上に折畳まれて収納姿勢Ａにある時は、延長整地体１７Ｌ，１７Ｒの後側支軸となるクレビスピン１９と、前側支軸となるクレビスピン２２を引張スプリング１６が支点越えした状態で当該延長整地体１７Ｌ，１７Ｒを引張付勢しながら、延長整地体１７Ｌ，１７Ｒの基部を構成するアームプレート２１の回動支点近傍の端面、即ち図２（ｂ）に示す（ロ）面がブラケット１８に固設したピン２５と当接し、それによって図２（ｂ）と図３（ｂ）に示す如く延長整地体１７Ｌ，１７Ｒの収納姿勢Ａにおける略水平姿勢（リヤカバー１３と平行）の位置決めがなされる。
【００２０】
尚、上述したように収納姿勢Ａにおける延長整地体１７Ｌ，１７Ｒを略水平姿勢に維持することにより、延長整地体１７Ｌ，１７Ｒを構成する整地プレート２４の先端がリヤカバー１３に当たって塗装剥がれ発生することを防止できる。しかもこの時、延長整地体１７Ｌ，１７Ｒは、引張スプリング１６により引張付勢されて収納姿勢Ａにおける略水平姿勢を維持しているので、ロータリ耕耘装置１の振動に伴う騒音の発生も軽減させることができる。
【００２１】
一方、図２（ｂ）に示すように、延長整地体１７Ｌ，１７Ｒが拡張されて作用姿勢Ｂにある時は、延長整地体１７Ｌ，１７Ｒの後側支軸となるクレビスピン１９と、前側支軸となるクレビスピン２２を引張スプリング１６が支点越えした状態で当該延長整地体１７Ｌ，１７Ｒを引張付勢しながら、延長整地体１７Ｌ，１７Ｒの基部を構成するアームプレート２１の先端側端面、即ち図２（ｂ）に示す（ハ）面がリヤカバー１３の終端部の外側側板１３ａと当接し、それによって延長整地体１７Ｌ，１７Ｒの作用姿勢Ｂにおける略水平姿勢の位置決めがなされる。尚、この時も延長整地体１７Ｌ，１７Ｒは、引張スプリング１６により引張付勢されて作用姿勢Ｂにおける略水平姿勢を維持しているので、耕耘面に対する適度な押圧力を保ちながらロータリ耕耘装置１の振動に伴う騒音の発生を軽減させることができる。
【００２２】
即ち、本発明では、耕耘爪８の上方を覆うメインカバーであるロータリカバー１１と、該ロータリカバー１１の後端に上下回動自在に軸支されるリヤカバー１３と、該リヤカバー１３、又はリヤカバー１３の後端に装着される整地体に折畳み自在に装着される延長整地体１７Ｌ，１７Ｒとを備えるロータリ耕耘装置１において、前記リヤカバー１３、又はリヤカバー１３の後端に装着される整地体の左右両端にブラケット１８を固設して、延長整地体１７Ｌ，１７Ｒを回動自在に枢支すると共に、当該ブラケット１８に固設したピン２５と延長整地体１７Ｌ，１７Ｒとに亘って引張スプリング１６を張設して、延長整地体１７Ｌ，１７Ｒを作用姿勢Ｂと収納姿勢Ａとに切替え自在になし、さらに、この収納姿勢Ａにおいて延長整地体１７Ｌ，１７Ｒの基部を構成するアームプレート２１は、前記ピン２５に接当して、収納姿勢Ａに位置決めされるようになっており、前記ブラケット１８を構成する一つの部品であるピン２５に引張スプリング１６の一端を係止し、且つ前記ピン２５によって延長整地体１７Ｌ，１７Ｒの収納姿勢Ａにおける位置決めがなされるので、当該延長整地体１７Ｌ，１７Ｒの折畳み構造が簡潔化され、部品点数の低減によるコストの改善が図れる。
【符号の説明】
【００２３】
８      耕耘爪
１１    メインカバー
１３    リヤカバー
１６    スプリング
１７Ｌ  延長整地体（左側）
１７Ｒ  延長整地体（右側）
１８    ブラケット
２５    ピン
Ａ      収納姿勢
Ｂ      作用姿勢
【図１】
2011019451.tif 000003
【図２】
2011019451.tif 000004
【図３】
2011019451.tif 000005